(57)【要約】【課題】  本発明は、第１、第２羽根間に所定寸法のギャップを形成して、２枚の羽根間で摺動摩擦が発生しないようにすると共に、小型のシャッタ装置を提供すること。【解決手段】  本発明のシャッタ装置１は、所定の口径の開口部６ａが形成されたベース部材６と、このベース部材６の第１羽根支持面上１１に載置されて開口部６ａを開閉可能な第１、第２羽根１２、１３とを備え、第１羽根１２は、第１羽根支持面１１上を回動して開口部６ａを開閉可能になっており、第２羽根１３は、第１羽根１２上に所定寸法のギャップを有して配設されて開口部６ａを開閉可能になっている。【選択図】        図１
2005241957.tif 000002
【特許請求の範囲】
【請求項１】
所定の口径の開口部が形成されたベース部材と、このベース部材の羽根支持面上に載置されて前記開口部を開閉可能な第１、第２羽根とを備え、前記第１羽根は、前記羽根支持面上を回動して前記開口部を開閉可能になっており、前記第２羽根は、前記第１羽根上に所定寸法のギャップを有して配設されて前記開口部を開閉可能になっていることを特徴とするシャッタ装置。
【請求項２】
前記羽根支持面には、前記第１羽根の回動範囲の外側に、前記第２羽根を回動自在に支持可能な台座部が形成され、この台座部によって、前記第１羽根との間に前記ギャップが形成されていることを特徴とする請求項１記載のシャッタ装置。
【請求項３】
前記第１、第２羽根は、前記ベース部材に回動自在に支持可能な回動支点部と、この回動支点部から離れた位置に形成した前記開口部を遮蔽可能な遮蔽部とを有し、前記第１羽根は、前記回動支点部が前記ベース部材に形成した第１羽根支持部に支持され、前記第２羽根は、前記回動支点部が前記ベース部材に形成した第２羽根支持部に支持されると共に、前記遮蔽部側が前記台座部に支持されて回動自在になっていることを特徴とする請求項２記載のシャッタ装置。
【請求項４】
前記第２羽根支持部は、前記第２羽根の前記回動支点部が前記台座部と同じ高さに支持可能になっていることを特徴とする請求項３記載のシャッタ装置。
【請求項５】
前記台座部は、前記羽根支持面から所定高さで突出する少なくとも第１〜第３台座部からなり、前記開口部を開放した時の前記第２羽根の前記遮蔽部側は、少なくとも前記第１、第２台座部に支持され、前記開口部を遮蔽した時の前記遮蔽部側は、少なくとも前記第２、第３台座部に支持されていることを特徴とする請求項３または４記載のシャッタ装置。
【請求項６】
前記第１羽根は、前記開口部を遮蔽可能なシャッタ羽根からなり、前記第２羽根は、前記開口部を通過する光量を調整可能なフィルタを有する絞り羽根からなり、前記第２羽根は、前記第１羽根と対向する面と反対側の面に前記フィルタを取り付けたことを特徴とする請求項１乃至５のいずれかに記載のシャッタ装置。
【請求項７】
前記第１羽根は、厚さ寸法が５０μｍに形成され、前記台座部は、高さ寸法を１００μｍに形成したことを特徴とする請求項２乃至６のいずれかに記載のシャッタ装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図６〜図８において、２１はベース部材２１に設けられた軸２１ａを支点として回動可能な第１羽根、２３はベース部材２１に設けた軸２１ｂを支点として回動可能な第２羽根である。前記ベース部材２１には、所定の口径からなる開口部２１ｃ形成されている。また、ベース部材２１には、第１羽根用レール２１ｄと第２羽根用レール２１ｅとが形成され、軸２１ａを支点とする第１羽根２２は、第１羽根用レール２１ｄにガイドされて回動し、軸２１ｂを支点とする第２羽根２３は、第２羽根用レール２１ｅにガイドされて回動可能になっている。
【０００３】
図６には、ベース部材２１に第１羽根２２を組み込んだ状態を示しており、図７はベース部材２１に第１、第２羽根２２、２３を組み込んだ状態であり、第１、第２羽根２２、２３が開口部２１ｃを開放した状態を示している。
また、２７はアクチュエータであり、アクチュエータ２７によって、第１、第２羽根２２、２３が軸２１ａ、２１ｂを支点として回動駆動可能になっている。
【０００４】
そして、図８に示すように、アクチュエータ２７によって回動する第１、第２羽根２２、２３が、開口部２１ｃを遮蔽して、シャッタ動作を行うことができる。このシャッタ動作時の第１、第２羽根２２、２３は、ストッパ２１ｆ、２１ｇによって、それ以上回動しないようになっている。
このような従来のシャッタ装置は、第１羽根２２の上に第２羽根２３が積層されているので、シャッタ動作時には、第１、第２羽根２２、２３が、互いに摺動しながら開口部２１ｃを遮蔽するようになっている。
【特許文献１】特開２０００−３１０８０３号公報
【発明の開示】
【発明が解決しようとする課題】
【０００５】
しかし、前述したような従来のシャッタ装置の第１、第２羽根２２、２３は、開口部２１ｃを遮蔽するシャッタ動作時に、互いに摺動摩擦が発生して、第１羽根２２と第２羽根２３の回動スピードが遅くなって、シャッタ速度が遅くなるおそれがあった。
また、シャッタ速度を速めるために、アクチュエータ２７を大きくすると、従来のシャッタ装置が大型になると共に、消費電力が大きくなる問題があった。
本発明は、前述したような課題を解決するためのものであり、第１、第２羽根間に所定寸法のギャップを形成して、２枚の羽根間で摺動摩擦が発生しないようにすると共に、小型のシャッタ装置を提供することを目的とする。
【課題を解決するための手段】
【０００６】
前記課題を解決するための第１の解決手段として本発明のシャッタ装置は、所定の口径の開口部が形成されたベース部材と、このベース部材の羽根支持面上に載置されて前記開口部を開閉可能な第１、第２羽根とを備え、前記第１羽根は、前記羽根支持面上を回動して前記開口部を開閉可能になっており、前記第２羽根は、前記第１羽根上に所定寸法のギャップを有して配設されて前記開口部を開閉可能になっていることを特徴とする。
【０００７】
また、前記課題を解決するための第２の解決手段として、前記羽根支持面には、前記第１羽根の回動範囲の外側に、前記第２羽根を回動自在に支持可能な台座部が形成され、この台座部によって、前記第１羽根との間に前記ギャップが形成されていることを特徴とする。
【０００８】
また、前記課題を解決するための第３の解決手段として、前記第１、第２羽根は、前記ベース部材に回動自在に支持可能な回動支点部と、この回動支点部から離れた位置に形成した前記開口部を遮蔽可能な遮蔽部とを有し、前記第１羽根は、前記回動支点部が前記ベース部材に形成した第１羽根支持部に支持され、前記第２羽根は、前記回動支点部が前記ベース部材に形成した第２羽根支持部に支持されると共に、前記遮蔽部側が前記台座部に支持されて回動自在になっていることを特徴とする。
【０００９】
また、前記課題を解決するための第４の解決手段として、前記第２羽根支持部は、前記第２羽根の前記回動支点部が前記台座部と同じ高さに支持可能になっていることを特徴とする。
【００１０】
また、前記課題を解決するための第５の解決手段として、前記台座部は、前記羽根支持面から所定高さで突出する少なくとも第１〜第３台座部からなり、前記開口部を開放した時の前記第２羽根の前記遮蔽部側は、少なくとも前記第１、第２台座部に支持され、前記開口部を遮蔽した時の前記遮蔽部側は、少なくとも前記第２、第３台座部に支持されていることを特徴とする。
【００１１】
また、前記課題を解決するための第６の解決手段として、前記第１羽根は、前記開口部を遮蔽可能なシャッタ羽根からなり、前記第２羽根は、前記開口部を通過する光量を調整可能なフィルタを有する絞り羽根からなり、前記第２羽根は、前記第１羽根と対向する面と反対側の面に前記フィルタを取り付けたことを特徴とする。
【００１２】
また、前記課題を解決するための第７の解決手段として、前記第１羽根は、厚さ寸法が５０μｍに形成され、前記台座部は、高さ寸法を１００μｍに形成したことを特徴とする。
【発明の効果】
【００１３】
本発明のシャッタ装置に係わる第１羽根は、羽根支持面上を回動して開口部を開閉可能になっており、第２羽根は記第１羽根上に所定寸法のギャップを有して配設されて開口部を開閉可能になっているので、第１羽根と第２羽根とを回動させたときに擦れることが無く、第１、第２羽根間で摺動摩擦が発生しない。
そのために、第１、第２羽根の回動スピードを速めて、シャッタスピードを早めることができる。
【００１４】
また、羽根支持面には、第１羽根の回動範囲の外側に、第２羽根を回動自在に支持可能な台座部が形成され、この台座部によって第１羽根との間にギャップが形成されているので、台座部上を第２羽根が回動して第１、第２羽根が擦れるのを防止できる。
【００１５】
また、第１羽根は、回動支点部がベース部材に形成した第１羽根支持部に支持され、第２羽根は、回動支点部がベース部材に形成した第２羽根支持部に支持されると共に、遮蔽部側が台座部に支持されて回動自在になっているので、第２羽根が第１羽根に擦れるのを確実に防止できる。
【００１６】
また、第２羽根支持部は、第２羽根の回動支点部が台座部と同じ高さに支持可能になっているので、更に確実に第２羽根が第１羽根に擦れるのを確実に防止できる。
【００１７】
また、開口部を開放した時の第２羽根の遮蔽部側は、少なくとも第１、第２台座部に支持され、開口部を遮蔽した時の遮蔽部側は、少なくとも第２、第３台座部に支持されているので、開口部を開閉時、及び遮蔽時の第２羽根が、斜めになることが無い、
【００１８】
また、第１羽根は、開口部を遮蔽可能なシャッタ羽根からなり、第２羽根は、開口部を通過する光量を調整可能なフィルタを有する絞り羽根からなり、第２羽根は、第１羽根と対向する面と反対側の面にフィルタを取り付けたので、フィルタが第１羽根に擦れることがない。
【００１９】
また、第１羽根は、厚さ寸法が５０μｍに形成され、台座部は、高さ寸法を１００μｍに形成したので、第１羽根と第２羽根との間のギャップを略５０μｍにすることができ、、第１羽根と第２羽根とが擦れることがない。
【発明を実施するための最良の形態】
【００２０】
以下、本発明に関するシャッタ装置の実施の形態を図１〜図５に基づいて説明する。図１は本発明に関するシャッタ装置の分解斜視図であり、図２は図１の要部平面図であり、図３は図１の要部側面図であり、図４、図５は本発明に係わる第２羽根の動作を説明する平面図である。
【００２１】
まず、本発明の実施の形態のシャッタ装置１を図１〜図４に基づいて説明すると、最下部には、外径が略９ｍｍの円形状に形成されたヨーク２が配設され、このヨーク２は、鋼板等の磁性材料で形成されている。
前記ヨーク２は、中央部に後述するベース部材６の円形状の基部６ｂが嵌合可能な開口２ａを有する平面部２ｂがドーナッツ状に形成されている。また、ヨーク２は、開口２ａの４箇所が上方に切り起こしされてガイド部２ｃが形成され、このガイド部２ｃによって、開口２ａに嵌合するベース部材６の基部６ｂをガイド可能になっている。
【００２２】
また、ヨーク２上には、円弧状で対称形状に形成された第１、第２リンク部材３、４が載置されている。前記第１リンク部材３は、円弧状の長手方向の略中央部に略円錐台状に所定高さで突出する回動支持部３ａが形成されている。
また、第１リンク部材３は、図示奥側端部に円柱状に所定高さで突出するシャッタ駆動部３ｂが形成されている。
また、第１リンク部材３と対称形状の第２リンク部材４は、円弧状の長手方向の略中央部に略円錐台状に突出する回動支持部３ａが形成されると共に、図示奥側端部に円柱状に突出するシャッタ駆動部４ｂが形成されている。
【００２３】
また、第１、第２リンク部材３、４の上面には、永久磁石からなる略円弧状のマグネット５が載置されている。このマグネット５は、第１リンク部材３上に、回動支持部３ａを挟んだ左右に第１、第２マグネット５ａ、５ｂが接着剤等で固着されている。
また、第２リンク部材４上には、回動支持部４ａを挟んで第３、第４マグネット５ｃ、５ｄが固着されている。前記第１〜第４マグネット５ａ〜５ｄは、第１、第２リンク部材３、４の長手方向と平行方向に着磁されて、それぞれの長手方向の端部に磁極が形成されている。
【００２４】
例えば、第１リンク部材３上の第１マグネット５ａは、図示右端部がＮ極に、図示左端部がＳ極に着磁され、第２マグネット５ｂは、図示右端部がＮ極に、図示左端部がＳ極に着磁されている。
また、第２リンク部材４上の第３マグネット５ｃは、図示手前側端部がＮ極に、図示奥側端部がＳ極に着磁され、第４マグネット５ｄは、図示手前側端部がＮ極に、図示奥側端部がＳ極に着磁されている。
【００２５】
また、ヨーク２上には、第１、第２リンク部材３、４を介して、樹脂材料からなり、外形が円形状のベース部材６が配設されている。前記ベース部材６は、中央部に所定の口径の開口部６ａを有する略円筒状の基部６ｂが形成されている。
前記ベース部材６は、基部６ｂがヨーク２の開口２ａに嵌合可能な大きさの外径寸法で形成されると共に、基部６ｂの外側でヨーク２の平面部２ｂの外形が嵌合可能な大きさの内径寸法で形成された所定厚さの外周壁６ｃが形成されている。
【００２６】
また、ベース部材６は、基部６ｂと外周壁６ｃとが、薄肉の第１、第２リンクガイド部７、８と、この第１、第２リンクガイド部７、８より厚肉の第１、第２連結部９、１０とにより連結されている。
そして、第１リンクガイド部７と第１連結部９との間に第１開放部６ｄが形成され、第１リンクガイド部７と第２連結部１０との間に第２開放部６ｅが形成され、第２リンクガイド部８と第２連結部１０との間に第３開放部６ｆが形成され、第２リンクガイド部８と第１連結部９との間に第４開放部６ｇが形成されている。
【００２７】
また、第１リンクガイド部７には、第１リンク部材３の回動支持部３ａが嵌合可能な支持孔７ａが形成され、この支持孔７ａ近傍に所定高さで突出する凸部７ｂが形成されている。
また、支持孔７ａに回動支持部３ａを嵌合させて支持した第１リンク部材３は、第１マグネット５ａが第１開放部６ｄに位置すると共に、第２マグネット５ｂが第２開放部６ｅに位置するようになっている。
そして、回動支持部３ａを支点として、基部６ｂと外周壁６ｃとの間を、第１リンク部材３が回動自在になっている。
【００２８】
また、第２リンクガイド部８には、第２リンク部材４の回動支持部４ａが嵌合可能な支持孔８ａが形成され、この支持孔８ａ近傍に所定高さで突出する突部８ｂが形成されている。
また、支持孔８ａに回動支持部４ａを嵌合させて支持した第２リンク部材４は、第３マグネット５ｃが第３開放部６ｆに位置すると共に、第４マグネット５ｄが第４開放部６ｇに位置するようになっている。
そして、回動支持部４ａを支点として、基部６ｂと外周壁６ｃとの間を、第２リンク部材４が回動自在になっている。
【００２９】
また、基部６ｂの表面と第１連結部９の表面とには、面積の広い第１羽根支持面１１が平坦状に形成され、この第１羽根支持面１１上に後述するシャッタ羽根である第１羽根１２が位置して回動自在になっている。
前記第１羽根支持面１１の第１開放部６ｄ近傍には、後述する第１羽根１２を回動自在に支持可能な第１羽根支持部１１ａが所定の径寸法と高さ寸法で突出形成されている。
【００３０】
また、第１連結部９の第４開放部６ｇ近傍には、第１羽根支持面１１より高さ寸法が略１００μｍ高い第２羽根支持面９ａが形成され、この第２羽根支持面９ａ上に後述する第２羽根１３が位置して回動自在になっている。
前記第２羽根支持面９ａには、後述する台２羽根１３回動自在に支持可能な第２羽根支持部９ｂが所定の径寸法と高さ寸法で突出形成されている。
【００３１】
また、第１連結部９の外周部には、外周壁６ｃと略同じ厚さで外周壁６ｃより高さが高く形成された第１突起９ｃと、この第１突起９ｃの左右両隣に第１突起９ｃより高さが低い第２突起９ｄとが形成されている。
また、第１羽根支持面１１の外周部寄りの位置で、第１羽根支持部１１ａと第１突起９ｃとの間に、第１羽根支持面１１より略１００μｍ（第２羽根支持面９ａと同じ高さ）高い第１台座部１１ｂが形成されている。
また、開口部６ａと第１開放部６ｄとの間の基部６ｂ上の第１羽根支持面１１には、略矩形状の第２台座部１１ｃが第１台座部１１ｂと同じ高さで形成されている。
【００３２】
また、第２開放部６ｅと開口部６ａとの間の第１羽根支持面１１には、第１コイル支持壁１１ｄが形成され、第３開放部６ｆと開口部６ａとの間の第１羽根支持面１１には、第２コイル支持壁１１ｅが形成され、この第２コイル支持壁１１ｅに接して開口部６ａ寄りの位置に第１、第２台座部１１ｂ、１１ｃと高さが同じ第３台座部１１ｆが形成されている。
この第３台座部１１ｆは、開口部６ａ側がテーパ状に形成されて、後述する第２羽根１３が回動時に無理なく第３台座部１１ｆ上に位置するようになっている。
前記第２羽根支持面９ａと、第１、第２、第３台座部１１ｂ、１１ｃ、１１ｆのそれぞれは、第１羽根支持面１１上を回動する後述する第１羽根１２の回動範囲外に形成されて、開口部６ａを遮蔽するシャッタ動作時の第１羽根１２の回動を邪魔しないようになっている。
【００３３】
また、ベース部材６の第１羽根支持面１１に形成した第１羽根支持部１１ａには、シャッタ羽根からなる第１羽根１２の丸穴状の回動支点部１２ａが嵌合支持されている。
前記第１羽根１２は、カーボン等の導電性粉末を練り込みした樹脂材料等からなり略５０μｍの厚さに形成されている。
また、第１羽根１２は、回動支点部１２ａの図示手前側に、第１リンク部材３の羽根駆動部３ｂが係合可能なＵ字状の係合溝１２ｂが形成されている。
また、回動支点部１２ａから所定寸法離れた図示左側の位置に、ベース部材６の開口部６ａを開閉可能な面積の大きな遮蔽部１２ｃが形成されている。
【００３４】
また、第２羽根支持面９ａに形成した第２羽根支持部９ｂには、絞り羽根からなる第２羽根１３の丸穴状の回動支点部１３ａが嵌合支持されている。前記第２羽根１３は、第１羽根１２と同様にカーボン粉末を練り込みした樹脂材料等で、厚さが略５０μｍに形成されている。
また、第２羽根１３は、、回動支点部１３ａの図示手前側に、第２リンク部材４の羽根駆動部４ｂが係合可能なＵ字状の係合溝１３ｂが形成されている。
【００３５】
また、第２羽根１３は、回動支点部１３ａから所定寸法離れた図示右側の位置に、遮蔽部１３ｃが形成され、この遮蔽部１３ｃにベース部材６の開口部６ａより径寸法が若干大きく形成された開口１３ｄが形成され、この開口１３ｄに、所定の厚さからなるＮＤフィルタ１３ｅが接着剤等で取り付けられて、開口部６ａを通過する光量を調整可能になっている。
【００３６】
そして、開口部６ａを開放した状態の第２羽根１３は、図４に示すように、回動支点部１３ａ側が第２羽根支持面９ａ上に位置すると共に、遮蔽部１３ｃ側が、第１、第２台座部１１ｂ、１１ｃに支持されて、１点鎖線で示すような略三角形状の３つのコーナ部が、第１羽根支持面１１から略１００μｍの高さ位置で支持されている。
即ち、第１羽根支持面１１上に支持した第１羽根１２と、第２羽根支持面９ａと、第１、第２台座部１１ｂ、１１ｃとに支持された第２羽根１３との間には、略５０μｍのギャップが形成されるようになっている。
【００３７】
また、第１リンク部材３に取り付けられて、第１、第２開放部６ｄ、６ｅに位置する第１、第２マグネット５ａ、５ｂ上には、薄板状で略楕円状に巻回された第１コイル１４が配設されている。この第１コイル１４は、開口部６ａ寄りの外周部が、第１コイル支持壁１１ｄにガイドされると共に、円弧状の外周部が外周壁６ｃの内面にガイドされて、ベース部材６上に載置されている。
また、第２リンク部材４に取り付けられて、第３、第４開放部６ｆ、６ｇに位置する第３、第４マグネット５ｃ、５ｄ上には、第１コイル１４と同形状の第２コイル１５が配設されている。
この第２コイル１５は、開口部６ａ寄りの外周部が、第２コイル支持壁１１ｅにガイドされると共に、円弧状の外周部が外周壁６ｃの内面にガイドされて、ベース部材６上に載置されている。
【００３８】
このような第１、第２コイル１４、１５は、一対のコイル支持部１６ａ、１６ｂが二股状に形成されたＦＰＣ（フレキシブル基板）１６に接着剤等で固着されて一体化されている。
また、ＦＰＣ１６及び第２羽根１３上には、スズメッキ鋼板等の磁性材料からなるカバー部材１７が配設されている。
前記カバー部材１７には、ベース部材６の開口部６ａと対向する位置に第１楕円孔１７ａが形成され、この第１楕円孔１７ａに所定厚さのＮＤフィルタ１３ｅが位置して、第２羽根１３が開口部６ａを開閉する方向に回動可能になっている。
【００３９】
また、第１楕円孔１７ａの図示左右で、第１楕円孔１７ａと直交する方向には、第１楕円孔１７ａより小さな第２楕円孔１７ｂとＵ溝１７ｃが形成されている。  そして、Ｕ溝１７ｃには、第１リンク部材３の羽根駆動部３ｂが係合すると共に、第２楕円溝１７ｂには、第２リンク部材４の羽根駆動部４ｂが係合するようになっている。
【００４０】
このような構成の本発明のシャッタ装置１の組立は、ヨーク２の平面部２ｂ上に第１、第２マグネット５ａ、５ｂを固着した第１リンク部材３を載置すると共に、第３、第４マグネット５ｃ、５ｄを固着した第２リンク部材４を載置する。
次ぎに、ベース部材６を前記第１、第２リンク部材３、４の上に載置させて、第１リンクガイド部７の支持孔７ａに第１リンク部材３の回動支持部３ａを嵌合させると共に、第２リンクガイド部８の支持孔８ａに第２リンク部材４の回動支持部４ａを嵌合させる。
【００４１】
すると、第１、第２開放部６ｄ、６ｅに第１、第２マグネット５ａ、５ｂが位置すると共に第３、第４開放部６ｆ、６ｇに第３、第４マグネット５ｃ、５ｄが位置して、第１、第２リンク部材３、４が、それぞれの回動支部３ａ、４ａを支点としてシーソ状に回動するようになる。
また、第１、第２リンク部材３、４の、それぞれの羽根駆動部３ｂ、４ｂは、第１羽根支持面１１より上方に突出する。
【００４２】
次ぎに、第１羽根１２の丸孔状の回動支点部１２ａをベース部材６の突起状の第１羽根支持部１１ａに嵌合させると共に、Ｕ字状の係合溝１２ｂに第１リンク部材３の羽根駆動部３ｂを係合させる。
また、第１羽根１２の上にＮＤフィルタ１３ｅを取り付けた第２羽根１３を載置して、丸孔状の回動支点部１３ａをベース部材６の第２羽根支持部９ｂに嵌合させると共に、Ｕ字状の係合溝１３ｂに第２リンク部材４の羽根駆動部４ｂを係合させる。すると、第２羽根１３は、回動支点部１３ａ側が第２羽根支持面９ａ上に位置すると共に、遮蔽部１３ｃ側が、第１、第２台座部１１ｂ、１１ｃに支持される。このことにより、第２羽根１３は、略５０μｍのギャップを有して第１羽根１２上に載置される。
【００４３】
次ぎに、ＦＰＣ１６に取り付けた第１コイル１４を第１コイル支持壁１１ｄ及び外周壁６ｃの内面でガイドすると共に、第２コイル１５を第２コイル支持壁１１ｅ及び外周壁６ｃの内面でガイドして、ベース部材６上に載置する。
その後、ＦＰＣ１６及び第２羽根１３上にカバー部材１７をかぶせると、第１楕円孔１７ａにＮＤフィルタ１３ｅが位置すると共に、第１楕円孔１７ｂに第２羽根支持部９ｂが位置する。同時に、Ｕ溝１７ｃに第１羽根支持部１１ａが位置する。
そして、カバー部材１７をベース部材６の外周壁６ｃに接着剤等で固着すると共に、ヨーク２に切り起こし形成したガイド部２ｃをベース部材６に固着することにより、本発明のシャッタ装置１が組み立てられている。
このように組み立てられた本発明のシャッタ装置１は、外径が９ｍｍに形成され、ヨーク２とカバー部材１７との間の厚さ寸法が１．５ｍｍと薄型に形成されている。
【００４４】
このように組み立てられた本発明のシャッタ装置１の動作は、例えば、第１コイル１４に通電して発生する磁束が、第１、第２マグネット５ａ、５ｂの磁束に作用して、第１リンク部材３は、回動支持部３ａを支点として、羽根駆動部３ｂがベース部材６の基部６ｂから離れる方向に、図示時計回り方向に回動する。
これに伴って、第１羽根１２は、Ｕ字状の係合溝１２ｂが羽根駆動部３ｂによって操作され、回動支点部１２ａを支点として図示反時計回り方向に回動する。
このことにより、遮蔽部１２ｃが開口部６ａを閉じる方向に回動して、遮蔽部１２ｃが開口部６ａを完全に遮蔽される。
【００４５】
また、第１コイル１４への通電を逆にすると、第１リンク部材３は、羽根駆動部３ｂがベース部材６の基部６ｂに近づく方向の反時計回り方向に回動する。このことにより、第１羽根１２は、回動支点部１２ａを支点として時計回り方向に回動して、開口部６ａが開放される。
このような、開口部６ａを遮蔽および開放するシャッタ動作時の第１羽根１２は、第２羽根１３との間に略５０μｍのギャップが形成されているので、第２羽根１３と擦れることが無く、スピーディーなシャッタ動作を行うことができる。
【００４６】
また、第２コイル１５に通電することにより、第２リンク部材４は、回動支点部４ａを支点として、時計回り方向および反時計回り方向に回動して、第２羽根１３が回動するようになっている。
この第２羽根１３の回動で、ＮＤフィルタ１３ｅが開口部６ａを遮蔽して、開口部６ａを通過する光量を調整する絞り動作が行われる。
【００４７】
前記第２羽根１３は、ＮＤフィルタ１３ｅが開口部６ａを解放した状態において、図４に示すように、遮蔽部１３ｃ側が第１、第２台座部１１ｂ、１１ｃに支持され、１点鎖線で示す三角状のコーナ部の３点が支持されている。
また、ＮＤフィルタ１３ｅが開口部６ａを遮蔽した絞り動作時の第２羽根１３は、図５に示すように、遮蔽部１３ｃ側が第２、第３台座部１１ｃ、１１ｆに支持され、１点鎖線で示す三角状のコーナ部の３点が支持されている。
そのために、第２羽根１３は、ＮＤフィルタ１３ｅの重さが加わっていても、第１羽根１２に擦れることなくスムーズな絞り動作を行うことができる。
【００４８】
本発明の実施の形態では、第２羽根１３のＮＤフィルタ１３ｅ側に支持を、第１、第２、第３台座部１１ｂ、１１ｃ、１１ｆの３個で説明したが、第１羽根１２の回動範囲外の第１羽根支持面１１に、４個以上形成したものでも良い。
即ち、台座部は、第１〜第３台座部１１，１１ｃ、１１ｆの少なくとも３個からなるものであれば良い。
そして、開口部６ａを開放した時の第２羽根１３の遮蔽部１３ｃ側は、第２羽根支持面９ａと第１、第２台座部１１ｂ、１１ｃの少なくとも３箇所が支持され、開口部６ａを遮蔽した時の遮蔽部１３ｃは、第２羽根支持面９ａと第２、第３台座部１１ｃ、１１ｆの少なくとも２箇所が支持されている。
そのために、第２羽根１２は、水平状に支持されて、開口部６ａを解放時および遮蔽時に、第１羽根１２に擦れることがない。
【００４９】
また、本発明の実施の形態では、第２羽根１３をＮＤフィルタ１３ｅを備えた絞り羽根で説明したが、第２羽根１３は、第１羽根と同じシャッタ羽根でも良い。
即ち、２枚のシャッタ羽根からなる第１羽根１２、１２で、開口部６ａを遮蔽するようにしても良い。
【図面の簡単な説明】
【００５０】
【図１】本発明に関するシャッタ装置の分解斜視図である。
【図２】図１の要部平面図である。
【図３】図１の要部側面図である。
【図４】本発明に係わる第２羽根の動作を説明する平面図である。
【図５】本発明に係わる第２羽根の動作を説明する平面図である。
【図６】従来のシャッタ装置の動作を説明する平面図である。
【図７】従来のシャッタ装置の動作を説明する平面図である。
【図８】従来のシャッタ装置の動作を説明する平面図である。
【符号の説明】
【００５１】
１  本発明のシャッタ装置
２  ヨーク
２ａ  開口
３  第１リンク部材
３ａ  回動支持部
３ｂ  羽根駆動部
４  第２リンク部材
４ａ  回動支持部
４ｂ  羽根駆動部
５  マグネット
５ａ  第１マグネット
５ｂ  第２マグネット
５ｃ  第３マグネット
５ｄ  第４マグネット
６  ベース部材
６ａ  開口部
６ｂ  基部
６ｃ  外周壁
６ｄ  第１開放部
６ｅ  第２開放部
６ｆ  第３開放部
６ｇ  第４開放部
７  第１リンクガイド部
８  第２リンクガイド部
９  第１連結部
９ａ  第２羽根支持面
９ｂ  第２羽根支持部
１０  第２連結部
１１  第１羽根支持面
１１ａ  第１羽根支持部
１１ｂ  第１台座部
１１ｃ  第２台座部
１１ｆ  第３台座部
１２  第１羽根
１２ａ  回動支点部
１２ｂ  係合溝
１２ｃ  遮蔽部
１３  第２羽根
１３ａ  回動支点部
１３ｂ  係合溝
１３ｃ  遮蔽部
１３ｅ  ＮＤフィルタ
１４  第１コイル
１５  第２コイル
１６  ＦＰＣ
１７  カバー部材
【図１】
2005241957.tif 000003
【図２】
2005241957.tif 000004
【図３】
2005241957.tif 000005
【図４】
2005241957.tif 000006
【図５】
2005241957.tif 000007
【図６】
2005241957.tif 000008
【図７】
2005241957.tif 000009
【図８】
2005241957.tif 000010